(57)【特許請求の範囲】
【請求項１】
上階側階段と踊り場と下階側階段からなる廻り階段に設置する廻り階段用作業足場であって、
該廻り階段用作業足場は、
支持材と、
該支持材間に渡して取り付けられる下地材と、
該下地材上に取り付けられる作業床と、
該作業床間に取り付けられる渡し材とからなり、
上階側階段、踊り場及び下階側階段の踏板のいずれかを土台として、作業床は下地材の上側に固定されて上階側階段及び下階側階段のそれぞれに作業床が同一高さとなるように備えられ、該作業床間に作業床と同一高さとなるように渡し材が取り付けられ、
該作業床が折り畳み可能な２枚の板材からなり、折り畳む側の作業床が上階側階段の上階側に配置されることを特徴とする廻り階段用作業足場。
【請求項２】
前記支持材の下端が伸縮自在である請求項１に記載の廻り階段用作業足場。
【発明の詳細な説明】
【技術分野】
【０００１】
本発明は、廻り階段に設置する仮設の作業足場に関する。
【背景技術】
【０００２】
住宅など建物内の天井部分の電気配線や下地桟、石膏ボード・クロスの貼り付けなど天井部分や壁面の高所に対する施工は、床面に脚立やはしご等の足場を組んで行われる。
【先行技術文献】
【特許文献】
【０００３】
【特許文献１】特開２００１−２２７１５３号公報
【発明の概要】
【発明が解決しようとする課題】
【０００４】
しかし、階段部分では、天井が吹き抜けとなっているため、床面からの高さが非常に高い。また、床面が階段であるため足場を組むことが難しかった。そのため、作業者は不安定な状態での作業を強いられ、階段室での作業は、危険で困難な作業となっていた。
【０００５】
また、階段の踏板の段差に応じて仮設足場を設置した場合であっても、階段を通じて上下階の移動をすることは、仮設足場が邪魔になって難しかった。
【０００６】
本発明は、以上のような問題点に鑑み、廻り階段に設置する仮設の作業足場を提供することを課題とする。
【課題を解決するための手段】
【０００７】
上記の課題は、上階側階段と踊り場と下階側階段からなる廻り階段に設置する廻り階段用作業足場であって、
該廻り階段用作業足場は、
支持材と、
該支持材間に渡して取り付けられる下地材と、
該下地材上に取り付けられる作業床と、
該作業床間に取り付けられる渡し材とからなり、
上階側階段、踊り場及び下階側階段の踏板のいずれかを土台として、上階側階段及び下階側階段のそれぞれに作業床が同一高さとなるように備えられ、該作業床間に作業床と同一高さとなるように渡し材を取り付けたことを特徴とする廻り階段用作業足場により解決される。
【０００８】
この廻り階段用作業足場では、上階側階段及び下階側階段のそれぞれに、上階側階段、踊り場及び下階側階段の踏板のいずれかを土台として、作業床が同一高さとなるように備えられ、さらに、該作業床間に作業床と同一高さとなるように渡し材が取り付けられているので、廻り階段にフラットな作業足場を仮設することができる。さらに、この廻り階段用作業足場の床面は、上階側階段及び下階側階段のそれぞれに設けた作業床と渡し材の３つの要素により構成されているため、床面どうしの繋ぎ目を少なくし、作業中の躓きを防止することができる。
【０００９】
また、廻り階段用作業足場は、支持材と下地材と作業床と渡し材で構成されているので、少ない部材で、作業足場を構成することができる。
【００１０】
この廻り階段用作業足場において、支持材の下端が伸縮自在であるとよい。
【００１１】
支持材の下端が伸縮自在であるので、さまざまな階段の踏板高さに対応することができ、階段の種類にとらわれず汎用性の高い廻り階段用作業足場とすることができる。
【００１２】
また、この廻り階段用作業足場において、作業床が折り畳み可能な２枚の板材からなるとよい。
【００１３】
作業床が折り畳み可能な２枚の板材からなっているので、作業床の一部を折り畳むことで、作業床に開口部が生じ、この開口部を通じて上下階の移動をすることができる。
【発明の効果】
【００１４】
本発明は以上のとおりであるから、廻り階段に設置する仮設の作業足場を提供することができる。
【図面の簡単な説明】
【００１５】
【図１】図（イ）は、本発明の実施形態である廻り階段用作業足場の設置状況を示す斜視図、図（ロ）は、廻り階段用作業足場が設置される階段室を示す平面図、図（ハ）は、廻り階段用作業足場の設置状態を示す平面図である。
【図２】図（イ）、（ロ）、（ハ）は、順に高さの異なる支持体（小）、支持体（中）、支持体（大）を示す正面図である。
【図３】図（イ）は、下地材を示す斜視図、図（ロ）は、折り畳みできない作業床を示す斜視図、図（ハ）は、下地材と作業床との組立て状況を説明する分解斜視図である。
【図４】図（イ）は、折り畳み可能な作業床を示す斜視図、図（ロ）は、同作業床を折り畳んだ状態を示す斜視図である。
【図５】図（イ）は、渡し材を示す斜視図、図（ロ）は、作業床間に渡し材を設置した状態を示す斜視図である。
【図６】図（イ）、（ロ）は、図７（イ）、（ロ）、図８とともに、廻り階段用作業足場の組み立て状況を説明する斜視図である。
【図７】図（イ）、（ロ）は、図６（イ）、（ロ）、図８とともに、廻り階段用作業足場の組み立て状況を説明する斜視図である。
【図８】図は、図６（イ）、（ロ）、図７（イ）、（ロ）とともに、廻り階段用作業足場の組み立て状況を説明する斜視図である。
【図９】図は、本発明の実施形態である廻り階段用作業足場の設置状況であって、折り畳み可能な作業床を開けた状態を示す斜視図である。
【発明を実施するための形態】
【００１６】
次に、本発明の実施形態を図面に基づいて説明する。
【００１７】
図１に示す本発明の実施形態である廻り階段用作業足場１において、３は支持材、４は下地材、５は作業床、６は渡し材、７は筋交いである。２は、廻り階段用作業足場１が設置される建物内の階段室であり、図１（ロ）に示すように、下階側から上階側に対して１８０度回転しながら上昇するＵ字型階段である。Ｕ字型階段は、下階側階段である下階側２１から続く直階段２２‥が４段と、略正方形の踊り場２３と、上階側階段の一部であり、３段からなる進行方向を９０度回転させる廻り部２４‥と、上階側階段の一部であり上階側２６へ続く直階段２５‥が４段の計１２段により構成される。
【００１８】
この廻り階段用作業足場１では、図１（イ）、（ハ）に示すように、作業床５及び渡し材６が同一高さで、階段室２の全平面部を覆うように配置される。なお、２７は、階段室２の下階側階段と上階側階段との間に設置させる間仕切壁である。
【００１９】
支持材３は、図２（イ）、（ロ）、（ハ）に示すように、支持材３が設置される箇所に応じて高さ寸法が異なる支持材（小）３ａ、支持材（中）３ｂ、支持材（大）３ｃが使用される。
【００２０】
図２（イ）に示す支持材（小）３ａは、支持材を設置する土台から作業床面までの距離が短い場合に用いられる支持材であり、２本の脚部３１，３１と脚部３１どうしを連結するつなぎ部３２により略Ｈ状に構成される。後述するように、廻り階段用作業足場設置後に、上下階の人の移動を容易にするために、つなぎ部３２は、脚部３１，３１の上端側に取り付けられている。支持材（小）３ｃの幅寸法、つまり脚部３１，３１の間隔は、設置させる階段の幅寸法にあわせて設定されている。脚部３１は内部空洞の鋼管であり、下端には伸縮用脚部３３が伸縮自在に挿入される。伸縮用脚部３３の下端には、土台に対する設置を安定させるための安定材３４が備えられている。なお、３５は、脚部３１に対して伸縮用脚部３３を固定したり、解除したりするために設けられた固定材であり、ボルトである固定材３５を、螺子が切られた脚部３１の側面に対して締めたり緩めたりすることで、脚部３１に対して伸縮用脚部３３を固定したり、解除したりできるようになされている。
【００２１】
図２（ハ）に示す支持材（大）３ｃは、支持材を設置する土台から作業床面までの距離が長い場合に用いられる支持材であり、２本の脚部３１，３１と脚部３１どうしを連結する２本のつなぎ部３２により略ロの字状に構成される。後述するように、廻り階段用作業足場設置後に、上下階の人の移動を容易にするために、２本のつなぎ部３２，３２は、それぞれ脚部３１，３１の上端側と下端側に取り付けられている。支持材（大）３ａの幅寸法、つまり脚部３１，３１の間隔は、設置させる階段の幅寸法にあわせて設定されている。脚部３１は内部空洞の鋼管であり、下端には伸縮用脚部３３が伸縮自在に挿入される。伸縮用脚部３３の下端には、土台に対する設置を安定させるための安定材３４が備えられている。なお、３５は、脚部３１に対して伸縮用脚部３３を固定したり、解除したりするために設けられた固定材であり、ボルトである固定材３５を、螺子が切られた脚部３１の側面に対して締めたり緩めたりすることで、脚部３１に対して伸縮用脚部３３を固定したり、解除したりできるようになされている。
【００２２】
図２（ロ）に示す支持材（中）３ｂは、支持材（小）３ａと支持材（大）３ｃの中間の高さ寸法の支持材であり、基本構成は支持材（大）３ｃと同様である。
【００２３】
図３（イ）に示すように、下地材４は、受け材４１と受け材４１の両端に備えられ、支持材３の脚部３１の上端部に取り付けるための連結部４２により構成される。受け材４１の上面に間隔をあけて設けられる４３‥は、後述する作業床５を固定するための固定ピン挿入用の孔であり、４４，４４は筋交いである。連結部４２，４２は内部空洞の鋼管であり、支持材３の脚部３１の上端部が挿入される。なお、４５は、挿入した脚部３１を固定するために設けられた固定材であり、ボルトである固定材４５を、螺子が切られた連結部４２の側面に対して締めたり緩めたりすることで、連結部４２に対して脚部３１の上端部を固定したり、解除したりできるようになされている。
【００２４】
図３（ロ）に示す作業床５ａは、下階側階段側に取り付ける折り畳みできない作業床である。作業床５ａは、図１（ハ）に示すように、階段室２の下階側階段２２‥および踊り場２３を覆うことになる。作業床５ａは、１枚からなる木製の合板５１からなり、長手方向の両端部には、後述する固定ピンを挿入して下地材４と一体化するための孔が、下地材４に設けられた孔４３‥と同じ間隔であけられている。
【００２５】
図３（ハ）に示すように、作業床５ａの長手方向両端部に沿って、下地材４をそれぞれ配置し、作業床５ａ及び下地材４のそれぞれに設けられた孔、４３‥,５２‥を介して固定ピン５６により固定される。固定ピン５６は、軸部５６ａと頭部５６ｂとからなり、固定ピンを作業床５ａ側から孔５２‥に落とし込むだけで固定される。
【００２６】
図４（イ）に示す作業床５ｂは、上階側階段側に取り付ける折り畳み可能な作業床である。作業床５ａは、図１（ハ）に示すように、階段室２の上部側階段の一部である廻り部２４‥と上階側階段２５‥を覆うことになる。作業床５ｂは、２片からなる木製の合板５３，５３が連結具５４，５４により、図４（ロ）に示すように、折り畳み可能に連結されている。連結具５４，５４には、例えば蝶番などが使用される。作業床５ｂの開き状態で、長手方向の両端部には、固定ピン５６を挿入して下地材４と一体化するための孔が、下地材４に設けられた孔４３‥と同じ間隔であけられている。なお、５５は、作業床５ｂを開閉するときに作業者が手を引っ掛けるための掴み手である。
【００２７】
作業床５ｂの下地材４への固定は、作業床５ａと同様に行われるが、折り畳む側の作業床、つまり掴み手５５を有する作業床が上階側に配置されるように下地材４に固定される。
【００２８】
図５に示す渡し材６は、間仕切壁２７があることにより作業床５ａと作業床５ｂとが近接できないために生じる作業床５ａと作業床５ｂとの隙間を埋めるために取り付けられる部材であり、木製の合板からなる本体部６１と、本体部６１の表面に本体部の長尺方向に間隔をあけて配置されるジョイント金物６２‥からなる。ジョイント金物はその両端部が本体部６１から延出し、その延出部には、固定ピン５６により、作業床５ａ,５ｂ及び下地材４と固定するための孔６３があけられている。
【００２９】
図５（ロ）に示すように、作業床５ａ及び５ｂを設置後、渡し材６は、作業床５ａ,５ｂ間に取り付けられ、作業床５ａ,５ｂ及び渡し材６は、同一高さとなる。
【００３０】
この廻り階段用作業足場１は次のようにして階段室２内に組み立てる。
【００３１】
最初に、図６（イ）に示すように、階段室２内に支持材３を設置する。下階側階段部の作業床５ａを取り付けるための支持材３として、下階から１段目の踏板に支持材（大）３ｃ、下階から５段目にあたる踊り場２３に支持材（中）３ｂを、それぞれ階段の幅方向と平行となるように設置する。また、上階側階段部の作業床５ｂを取り付けるための支持材３として、下階から６段目及び７段目にあたる廻り部２４に支持材（中）３ｂ、下階から１２段目、つまり上階から１段目の踏板に支持材（小）３ａを、それぞれ階段の幅方向と平行となるように設置する。なお、支持材（中）３ｂは、作業床５ａ、５ｂを階段室全面を覆うように配置するため、及び階段昇降時の通路を確保するために、壁際に寄せて設置する。
【００３２】
支持材３ａ,３ｂ,３ｃを設置の際には、作業床５が同一高さで水平に設置できるように、それぞれの伸縮用脚部３３を調整し、脚部３１の上端高さを揃えておく。下階側階段部に設置する支持材（大）３ｃと支持材（中）３ｂ、及び上階側階段部に設置する支持材（小）３ａについては、伸縮用脚部３３の伸縮寸法は、左右の脚部で同一であるが、上階側階段部に設置する支持材（中）３ｂは、設置する踏板が、下階から６段目及び７段目にあたる廻り部２４で異なるため、伸縮用脚部３３の伸縮寸法は、左右の脚部で異なる。なお、支持材（小）３ａ、支持材（中）３ｂ、支持材（大）３ｃのそれぞれの伸縮用脚部３３には、階段の高さに応じて寸法調整ができるように、一定間隔で目盛りが付されているとよい。
【００３３】
次に、図６(ロ)に示すように、下階側階段部設置した支持材３ｃ,３ｂに対して、支持材３ｃ,３ｂ間に渡すように下地材４，４を取り付ける。つまり、下地材４，４は、階段の進行方向に沿って平行に、それぞれ階段の壁際に２列配置されることになる。取り付けは、下地材４の連結部に支持材３ｃ,３ｂの脚部３１の上端部を挿入し、固定材４５により固定することで行う。この際、下地材４の水平を確認し、下地材４が水平となるように調整する。調整は、支持材３の伸縮用脚部３３の伸縮を調整してもよいし、支持材３に対する下地材４の取り付け高さを調整することにより調整してもよい。
【００３４】
同様に、上階側階段部設置した支持材３ｂ,３ａに対しても、支持材３ｂ,３ａ間に渡すように下地材４，４を取り付ける。
【００３５】
次に、図７（イ）に示すように、下地材４，４に対して、下階側階段部には、作業床５ａを、上階側階段部には、作業床５ｂを固定する。作業床５ａ，５ｂ及び下地材４のそれぞれに設けられた孔、４３‥,５２‥を介して固定ピン５６により固定する。なお、後述する渡し材６の取り付けのために必要な箇所については、固定ピン５６での固定は保留する。
【００３６】
次に、図７（ロ）に示すように、作業床５ａ,５ｂ間の隙間に渡し材６を配置し、ジョイント金物６２‥を介して作業床５ａ,５ｂ及び下地材４に固定ピン５６により固定する。
【００３７】
最後に、図８に示すように、下階側階段部及び上階側階段部のそれぞれの支持材３ｃ,３ｂ及び３ｂ,３ａ間に筋交い７を取り付ける。
【００３８】
この廻り階段用作業足場では、上階側階段及び下階側階段のそれぞれに、上階側階段、踊り場及び下階側階段の踏板のいずれかを土台として、作業床が同一高さとなるように備えられ、さらに、該作業床間に作業床と同一高さとなるように渡し材が取り付けられているので、廻り階段にフラットな作業足場を仮設することができる。さらに、この廻り階段用作業足場の床面は、上階側階段及び下階側階段のそれぞれに設けた作業床と渡し材の３つの要素により構成されているため、床面どうしの繋ぎ目を少なくし、作業中の躓きを防止することができる。
【００３９】
また、支持材と下地材と作業床と渡し材で構成されているので、少ない部材で、作業足場を構成することができる。
【００４０】
また、支持材の下端が伸縮自在であるので、さまざまな階段の踏板高さに対応することができ、階段の種類にとらわれず汎用性の高い廻り階段用作業足場とすることができる。
【００４１】
また、作業床が折り畳み可能な２枚の板材からなっているので、図９に示すように、折り畳み可能な作業床の一部を折り畳むことで、作業床に開口部が生じ、この開口部を通じて上下階の移動をすることができる。
【００４２】
以上に、本発明の実施形態を示したが、本発明はこれに限られるものではなく、発明思想を逸脱しない範囲で各種の変更が可能である。例えば、上記の実施形態では、作業床に木製の合板を利用した場合について示したが、作業床の材質に制限はなく、作業足場の目的に沿う範囲で自由に選択が可能である。
【００４３】
また、上記実施形態では、作業床が、折り畳みできない作業床と折り畳み可能な作業床の組み合わせの場合について示したが、共に、折り畳み可能な作業床の組み合わせであってもよいし、共に、折り畳みできない作業床の組み合わせであってもよいのはいうまでもない。
【００４４】
また、支持材や下地材の形状、材質、接合方法についても任意に選択できることはいうまでもない。
【符号の説明】
【００４５】
１・・・廻り階段用作業足場
２・・・階段室
３・・・支持材
３ａ・・・支持材（小）
３ｂ・・・支持材（中）
３ｃ・・・支持材（大）
４・・・下地材
５・・・作業床
５ａ・・・作業床（折り畳みできない）
５ｂ・・・作業床（折り畳み可能な）
６・・・渡し材
７・・・筋交い
【図１】
0005837332.tif 000002
【図２】
0005837332.tif 000003
【図３】
0005837332.tif 000004
【図４】
0005837332.tif 000005
【図５】
0005837332.tif 000006
【図６】
0005837332.tif 000007
【図７】
0005837332.tif 000008
【図８】
0005837332.tif 000009
【図９】
0005837332.tif 000010